(57)【要約】【課題】従来のレンチキュラーレンズ付き磁気カードは、構造上磁気記録情報の読取りに関する配慮や、印刷絵柄とレンチキュラーレンズシートとの貼り合わせの際の精度確保に関する配慮が全く記載されていない。そこで、意匠性に優れ、誤読率が少ないレンチキュラーレンズ付き磁気カードを提供する。【解決手段】薄板の片側全面に磁気記録材料が形成され、前記磁気記録材料が形成されていない面に蒲鉾型レンチキュラーレンズが貼り合わされたレンチキュラーレンズ付き磁気カードであって、貼り合わされる前のレンチキュラーレンズの非レンズ面には印刷が施され、磁気記録材料には配向が施され、レンチキュラーレンズの単位蒲鉾型レンズの延長方向と磁気記録材料の配向方向を同一方向としたレンチキュラーレンズ付き磁気カードを提供する。【選択図】  図１
2008077711.tif 000002
【特許請求の範囲】
【請求項１】
薄板の片側全面に磁気記録材料が形成され、前記磁気記録材料が形成されていない面に蒲鉾型レンチキュラーレンズが貼り合わされたレンチキュラーレンズ付き磁気カードであって、
貼り合わされる前のレンチキュラーレンズの非レンズ面には印刷が施され、
磁気記録材料には配向が施され、
レンチキュラーレンズの単位蒲鉾型レンズの延長方向と磁気記録材料の配向方向を同一方向としたことを特徴とするレンチキュラーレンズ付き磁気カード。
【請求項２】
請求項１に記載のレンチキュラーレンズ付き磁気カードにおいて、
薄板とレンチキュラーレンズは、常温で接着する接着剤によって貼り合わされていることを特徴とするレンチキュラーレンズ付き磁気カード。
【発明の詳細な説明】
【技術分野】
【０００１】
本発明は、レンチキュラーレンズ付き磁気カードに関し、詳しくは、意匠性に優れ、誤読率が少ないレンチキュラーレンズ付き磁気カードに関する。
【背景技術】
【０００２】
磁気記録層が形成されたカードが、会員カードやポイントカード等の用途に使用されている。
運動施設や娯楽関連施設等で利用される会員カードは、前記施設から発行され、カード会員は、例えば、施設を優先的に利用したり、非会員より安い金額で施設を利用したり、施設内の商品を購入することができる。
商店等で利用される会員カードは、商店から発行され、カード会員は、ダイレクトメール等でキャンペーン情報を優先的に入手したり、商品を会員価格で購入したりすることができる。
一方、ポイントカードは商店などでの商品購入時に発行され、カードには顧客の買上げ金額に対するポイント情報が記録される。ポイントカード会員は、累積された点数に応じたサービスを受けることができる。
いずれのカードも、顧客の継続的な来店、および、購入を促すために発行される。
【０００３】
前述の会員カードやポイントカードは、施設や商店側の意志により発行されることが多く、会員には発行側の意志が期待通り伝わっていない場合が多い。
近年、複数の会員カードやポイントカードを所持している顧客が多く、使用頻度が少ないカードは家に放置される。
そこで、顧客に常時携帯して貰い、再来店して商品を購入して貰うためには、カードの外観等に特徴を持たせ、強い印象を与える必要がある。
【０００４】
顧客に強い印象を与えるために、印刷された絵柄上にレンチキュラーレンズシートを貼り合わせたレンチキュラーレンズ付きカードが利用されている。
レンチキュラーレンズ付きカードには、見る位置が変わることにより、絵柄が切り替わるものや、両目で異なる絵柄を同時に見ることによって一つの絵柄として認識し、絵柄を立体的に見えるようにした「３Ｄ（Ｄｉｍｅｎｓｉｏｎ）」がある。
いずれの場合も、一単位のレンチキュラーレンズの裏側に２つの絵柄情報を印刷して、見る角度によって異なる絵柄が見えるようにしたものである。
【０００５】
会員カードやポイントカード等のカードにレンチキュラーレンズを適用して使用する場合にいくつかの課題が発生する。
クレジットカードなどＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）規格のカードでは、表裏に透明なオーバーシートを加熱，加圧して、所定の厚み（０．７６ｍｍ）とし、最表面に磁気ストライプを形成している。
そして、前述のＩＳＯ規格のカードでは、カードの規格の上でカード片側にレンチキュラーレンズを形成することはできない。
ＩＳＯの規格外のカードでも、カードにレンチキュラーレンズを形成する際に、カードの情報記録部や、レンチキュラーレンズの性能を低下させないような製造方法を適用しなければならない。
【０００６】
そこで、これらの課題を解決する技術として、「絵柄が変化して見える磁気カード」が提供されている（例えば、特許文献１参照）。
この発明は、「基材シート上の全面に磁気記録層が積層された記録／読取用シート上に、印刷適性の良いシートに絵柄が施された絵柄シート、および多数のレンチキュラーレンズが一方向に一定ピッチで並んで形成されているレンチキュラーレンズシートとが、記録／読取用シートと絵柄シートの間、および絵柄シートとレンチキュラーレンズシートの間が、いずれも接着剤層を介して積層してあることを特徴とする磁気カード」であるとしている。
【０００７】
【特許文献１】特開２０００−２９８３１９号公報
【発明の開示】
【発明が解決しようとする課題】
【０００８】
特許文献１に記載されている発明は、磁気記録情報の読取りに関する配慮や、印刷絵柄とレンチキュラーレンズシートとの貼り合わせの際の精度確保に関する配慮が全く記載されていない。
【課題を解決するための手段】
【０００９】
前記課題を解決するために、本発明のレンチキュラーレンズ付き磁気カードの第一の態様は、薄板の片側全面に磁気記録材料が形成され、前記磁気記録材料が形成されていない面に蒲鉾型レンチキュラーレンズが貼り合わされたレンチキュラーレンズ付き磁気カードであって、貼り合わされる前のレンチキュラーレンズの非レンズ面には印刷が施され、
磁気記録材料には配向が施され、レンチキュラーレンズの単位蒲鉾型レンズの延長方向と磁気記録材料の配向方向を同一方向としたことを特徴とするものである。
【００１０】
また、第二の態様は、第一の態様において、薄板とレンチキュラーレンズは、常温で接着する接着剤によって貼り合わされていることを特徴とするものである。
【発明の効果】
【００１１】
１）本発明のレンチキュラーレンズ付き磁気カードの、第一の態様のように、薄板の片側全面に磁気記録材料が形成され、前記磁気記録材料が形成されていない面に蒲鉾型レンチキュラーレンズが貼り合わされたレンチキュラーレンズ付き磁気カードであって、貼り合わされる前のレンチキュラーレンズの非レンズ面には印刷が施され、磁気記録材料には配向が施され、レンチキュラーレンズの単位蒲鉾型レンズの延長方向と磁気記録材料の配向方向を同一方向としたことによって、磁気記録情報の読取りの際に、カードの走行速度が一定となる。また、絵柄の印刷がレンチキュラーレンズシートに直接行なわれることによって、レンチキュラーレンズのピッチに合った印刷を行うことができ、従来のように印刷物とレンチキュラーレンズシートを貼り合わせる際の精度確保の課題を解消することができる。
また、貼り合わせの回数が一回で済み、さらに、印刷物とレンチキュラーレンズシートとの貼り合わせ精度の確保に手段を講じる必要がなくなるために、材料費と工程費が少なくて済み、コストを安くすることができる。
２）第二の態様のように、第一の態様において、薄板とレンチキュラーレンズは、常温で接着する接着剤によって貼り合わされていることによって、貼り合わせ段階で蒲鉾型レンズの性能を低下させることがなくなる。
【発明を実施するための最良の形態】
【００１２】
以下、図面を参照して、本発明のレンチキュラーレンズ付き磁気カードについて説明する。
図１は、本発明のレンチキュラーレンズ付き磁気カードについて説明するための図，図２は、図１のＡ−Ａ線断面について説明するための図，図３は、立体印刷物の原理について説明するための図，図４は、磁気カード読取り装置の磁気情報読取り部の一例について説明するための図，である。
【００１３】
図１を参照して、本発明のレンチキュラーレンズ付き磁気カードについて説明する。
ａ図は、本発明のレンチキュラーレンズ付き磁気カードの磁気記録面を示しており、図示していないがカードを使用する上での注意文言や、発行者の固有情報等が印刷されている。
ｂ図は、本発明のレンチキュラーレンズ付き磁気カードのレンチキュラーレンズ面を示している。レンズの裏側は絵柄印刷部１４になっており、見る位置が変わることにより絵柄が切り替わる切替印刷や、絵柄を両目で見ることによって一つの絵柄として認識し、絵柄を立体的に見えるようにした３Ｄ印刷が施されている。
印刷内容は、発行者の固有情報等とすることもできる。
【００１４】
ａ図の磁気記録面には、薄板の片側全面に磁気記録材料１２１が形成され、磁気記録材料１２１にはレンチキュラーレンズ付き磁気カードの長辺と平行な方向に配向が施されている。
ｂ図のレンチキュラーレンズ面には蒲鉾型のレンチキュラーレンズ１１が貼り合わされ、レンチキュラーレンズの単位蒲鉾型レンズの延長方向が、レンチキュラーレンズ付き磁気カードの長辺と平行となるように形成されている。その結果、レンチキュラーレンズの単位蒲鉾型レンズの延長方向と磁気記録材料の配向方向が同一方向となっている。
磁気記録情報の読取装置との関連で見た場合、カードの搬送方向とレンチキュラーレンズの単位蒲鉾型レンズの延長方向、および、磁気記録材料の配向方向が同一方向となっている。
【００１５】
ここで、磁気記録材料の配向について説明する。
磁気記録材料の作製工程は、少なくとも、ロール状に巻き取られた薄板を準備する工程、磁気塗料を準備する工程、磁気記録材料製造装置で薄板に連続的に磁気塗料を塗布する工程、塗布工程の直後に磁性体を外部磁場によって配向する工程、配向された磁気塗料を乾燥する工程からなる。
通常の磁性体は針状の形をしており、磁気塗料の塗布工程で外部磁場をかけて配向することによって、針状の磁性体がマッチ箱の中のマッチのように整然と並べられる。
その結果、磁性層中の磁性体の密度が高まり、乾燥された磁気記録材料は高性能の磁気記録材料とすることができる。
カード用として作製される磁気塗料の配向は、通常、支持体（薄板）の塗布方向と同一方向に行われる。塗布方向に対して斜め方向に配向が施された磁気記録材料は、録画用に使用される。
このように、磁気記録材料を高密度の磁気記録材料とすることによって磁性層を薄くすることができ、その結果、分解能が高く高記録密度の記録材料とすることができる。
【００１６】
図２を参照して、図１のＡ−Ａ線断面について説明する。
本発明のレンチキュラーレンズ付き磁気カード１は、単位蒲鉾型レンズ１１１の集合からなる透明な樹脂によるレンチキュラーレンズ１１と、磁気シート１２が、接着剤１３によって貼り合わされた構造になっている。また、レンチキュラーレンズ１１の裏側には絵柄印刷部１４が形成されている。
図示しないが、レンチキュラーレンズ１１と印刷部１４の間には、印刷インキの易接着処理（印刷インキが強固に接着するように樹脂の薄膜を形成する処理）が施されている場合もある。
また、磁気シート１２の薄板１２０は、多くは、白色のＰＥＴ（ポリエチレンテレフタレート）を使用するが、白色でない場合は、印刷部１４の接着剤１３側にホワイト層（図示せず）を設けることもできる。
磁気シート１２の磁気記録部１２１の表出面の裏面印刷部１５には、文字や図柄、ロゴなどの印刷が施される。
【００１７】
図３を参照して、立体印刷物の原理について説明する。
図３は、レンチキュラーレンズ１１の裏側に絵柄印刷部１４が形成された状態の断面を示している。
絵柄印刷部１４には、前述の切替印刷や、３Ｄ印刷（以下、立体印刷）が施される。
立体印刷物は、図３に示すように、同じ対象物を両眼（Ｅ１，Ｅ２）の視差に相当する間隔を空けて撮影し、作成した２つの絵柄を印刷することによって、見る位置が変わることにより、例えば、目Ｅ１の位置からは、印刷絵柄Ｂ（図示せず）の画素情報１４１ｂが見え、目Ｅ２の位置からは、印刷絵柄Ａ（図示せず）の画素情報１４１ａが見える。同様に、隣の蒲鉾レンズを通して、それぞれの目から画素情報１４２ｂ，画素情報１４２ａが見える。
従って、絵柄Ｂおよび絵柄Ａを全く異なる２種類の絵柄とすれば、絵柄は切替絵柄として視認することができる。
【００１８】
また、絵柄をｎ種類用意し、レンチキュラーレンズの蒲鉾のピッチをＰとしたときに、前述の単位蒲鉾レンズの裏側に、それぞれの絵柄のＰ／ｎに分解した画素を同じ順に並べて配置すれば、ｎ通りの切替絵柄を視認することができる。
一種類の絵柄でその動きの変化を捉え、上述のように分解して印刷すれば、動画のように変化して見えるようにすることもできる。
【００１９】
図２，図３の説明で判るように、本発明のレンチキュラーレンズ付きカードは、貼り合わされる前のレンチキュラーレンズの非レンズ面に印刷を直接行うために、単位蒲鉾レンズに対して絵柄画素の位置合わせを正確に行うことができる。
その結果、貼り合わせの精度に依存することなく高品質のレンチキュラーレンズ付きカードを提供することができる。
レンチキュラーレンズと磁気シートの接着剤が貼り合わされた後に、外部環境によって軟化し、レンチキュラーレンズシートと磁気シートが微妙にずれたとしても、絵柄画素の印刷位置と単位蒲鉾レンズの位置関係が損なわれることがない。
【００２０】
図４を参照して、磁気カード読取り装置の磁気情報読取り部の一例について説明する。
レンチキュラーレンズ付き磁気カード１が磁気カード読取り装置に挿入されると、搬送ローラ２（２ａ，２ｂ）と磁気ヘッド３の間を通り抜けて磁気情報が読み取られる。
図のように、搬送方向（図の矢印の方向）に対して、図に示すように蒲鉾レンズが直角に形成されている場合は、蒲鉾レンズの山部と谷部で搬送ローラが、２ａ，２ｂの如く上下し、搬送スピードが単位蒲鉾レンズのピッチ単位で微妙に変化する。
その結果、誤読率が高くなってくる。
図示しないが、その逆に、搬送方向（図の矢印の方向）に対して、蒲鉾レンズが平行に並べられた構造であれば、蒲鉾レンズの山部と谷部の影響を受けることなく搬送されるために正しく読み取られることが容易に理解できる。
また、図示しないが、本発明のレンチキュラーレンズ付きカードの磁気記録材料の前述の配向方向は、図４のカード搬送方向（矢印方向）と同じ向きになっている。
【００２１】
（材料）
図２を参照して、本発明のレンチキュラーレンズ付きカードに使用される材料について説明する。
レンチキュラーレンズ１１の素材は、例えば、透明な熱可塑性樹脂、または、電離放射線硬化性樹脂を素材として、レンチキュラーレンズの逆型を押しつけたり、前記逆型を母型として前記樹脂を流し込みながら成型することにより得られる。
熱可塑性樹脂としては、ポリ塩化ビニル樹脂、アクリル樹脂、ポリスチレン樹脂、ポリプロピレン樹脂、ポリエチレンテレフタレート樹脂、もしくはポリカーボネート樹脂等から選択して使用する。
電離放射線硬化性樹脂としては、不飽和ジカルボン酸と多価アルコールの縮合物等の不飽和ポリエステル類、ポリエステルメタクリレート、ポリエーテルメタクリレート、ポリオールメタクリレート、メラミンメタクリレート等のメタクリレート類、ポリエステルアクリレート、エポキシアクリレート、ウレタンアクリレート、ポリエーテルアクリレート、ポリオールアクリレート、メラミンアクリレート等のアクリレート、もしくはカチオン重合型エポキシ化合物等の、プレポリマー、または、オリゴマーを、（メタ）アクリル酸エステル類等のモノマーと混合して使用する。
【００２２】
接着剤１３として、例えば、ポリ酢酸ビニル、ポリビニルアルコール、ポリ塩化ビニル、ポリアミド、ポリメタクリル酸メチル、ニトロセルロース、酢酸セルロース、熱可塑性エポキシ、ポリスチレン、エチレン−酢酸ビニルコポリマー、または、エチレンアクリル酸エチルコポリマー等の熱可塑性樹脂接着剤、エポキシ樹脂、ポリウレタン樹脂等の熱硬化性樹脂接着剤、アクリレート系等の紫外線または電子線で硬化させる電離放射線硬化性接着剤、または天然ゴム、再生ゴム、スチレンブタジエンゴム、アクリロニトリルブタジエンゴム、クロロプレンゴム、ブチルゴム、シリコーンゴム、エチレンプロピレンゴム等のゴム系接着剤から選択して使用する。
またこれらに接着剤を塗布した接着シートを使用してもよい。
【００２３】
磁気シート１２の薄板１２０としては、少なくとも、磁気塗料のコーティングに耐えられる材料から選択して使用する。例えば、白色顔料が混入されたポリ塩化ビニル樹脂、アクリル樹脂、ポリスチレン樹脂、ポリプロピレン樹脂、ポリエチレンテレフタレート樹脂、または、ポリカーボネート樹脂等の中から選択して使用する。
【００２４】
磁気記録部１２１を形成するために使用される磁気記録材料は、抗磁力を設定することによって選択される。
通常の抗磁力で良いと判断される場合は、γ−Ｆｅ2Ｏ3を使用した磁気記録材料を選択する。
また、高抗磁力が必要と判断される場合は、γ−Ｆｅ2Ｏ3にＣｏをドーピングした磁気記録材料を選択する。
【００２５】
印刷部１４を形成するためには通常市販の紫外線硬化型のインキを使用しオフセット印刷方式により印刷する。
【００２６】
（実施例）
厚さ０．２５ｍｍの透明なＰＥＴ−Ｇ（ＰＥＴにシクロヘキサンジメタノールを加えて共重合したコ・ポリエステル）に、１３０ＬＰＩ（単位蒲鉾レンズが１インチ中に１３０連接されたレンチキュラーシート）のレンチキュラーレンズを成型し、インクジェットプリンタで切替絵柄を印刷し、絵柄付きレンチキュラーレンズを作製した。
厚さ０．１６ｍｍの白色ＰＥＴに抗磁力３００エルステッドの磁性体をコーティングし、配向処理を行った後、乾燥し、磁気シートを作製した。
上記絵柄付きレンチキュラーレンズと、上記磁気シートを市販の強粘着型の両面粘着シートで接着、カードサイズに打ち抜いて、厚さ０．５１ｍｍのレンチキュラーレンズ付き磁気カードを作製した。
レンチキュラーレンズと磁気シートの貼り合わせに当たっては、蒲鉾型レンズの延長方向と磁気の配向方向を同一方向とした。
絵柄の切替もシャープで、粘着剤のはみ出しもなく、書き込み読取り波形も良好なレンチキュラーレンズ付き磁気カードを得ることができた。
【産業上の利用可能性】
【００２７】
会員カード、ポイントカードなどに利用できる。
【図面の簡単な説明】
【００２８】
【図１】本発明のレンチキュラーレンズ付き磁気カードについて説明するための図である。
【図２】図１のＡ−Ａ線断面について説明するための図である。
【図３】立体印刷物の原理について説明するための図である。
【図４】磁気カード読取り装置の磁気情報読取り部の一例について説明するための図である。
【符号の説明】
【００２９】
１，１ａ，１ｂ  レンチキュラーレンズ付き磁気カード
２      搬送ローラ
３      磁気読取りヘッド
１１    レンチキュラーレンズ
１２    磁気シート
１３    接着剤層，接着剤
１４    印刷部，印刷絵柄
１５    裏面印刷部
１１１  単位蒲鉾型レンズ
１２０  薄板
１２１  磁気記録部
１２２  磁気記録材料
１４１ａ，１４１ｂ，１４２ａ，１４２ｂ  印刷絵柄の画素情報
Ｅ１，Ｅ２  目
【図１】
2008077711.tif 000003
【図２】
2008077711.tif 000004
【図３】
2008077711.tif 000005
【図４】
2008077711.tif 000006